(57)【特許請求の範囲】
【請求項１】
少なくとも、フィルタがある放置区を有する収納ユニットと、該収納ユニットの放置区に設置される立体フレームと、該立体フレーム上に巻き付けられる付着ユニットと、該収納ユニットの一側に設置される輻射照射ユニットと、該輻射照射ユニットのもう一側に設置される計時ユニットとが備えられることを特徴とする、電離放射線照射による海藻生長促進装置。
【請求項２】
該収納ユニットの放置区に培養液が注入されることを特徴とする、請求項１に記載の電離放射線照射による海藻生長促進装置。
【請求項３】
該培養液は海水であることを特徴とする、請求項２に記載の電離放射線照射による海藻生長促進装置。
【請求項４】
該立体フレームは、少なくとも複数の横棒と縦棒とから構成されることを特徴とする、請求項１に記載の電離放射線照射による海藻生長促進装置。
【請求項５】
該付着ユニット上に複数の藻類胞子が設置されることを特徴とする、請求項１に記載の電離放射線照射による海藻生長促進装置。
【請求項６】
該付着ユニットは綿ロープであることを特徴とする、請求項１に記載の電離放射線照射による海藻生長促進装置。
【請求項７】
該輻射照射ユニットは電離放射線源であることを特徴とする、請求項１に記載の電離放射線照射による海藻生長促進装置。
【請求項８】
該電離放射線源はコバルト６０ガンマ線であることを特徴とする、請求項７に記載の電離放射線照射による海藻生長促進装置。
【請求項９】
該輻射照射ユニットの照射供与量は１５グレイ（Ｇｙ）であることを特徴とする、請求項１に記載の電離放射線照射による海藻生長促進装置。
【請求項１０】
少なくとも、（Ａ）付着ユニットが巻き付けられた立体フレームを用意するステップと、（Ｂ）該付着ユニットが巻き付けられた立体フレームを培養液が注入された収納ユニットに設置するステップと、（Ｃ）付着ユニットに複数の藻類胞子を着床させ、該収納ユニットにフィルタが設置されて、該培養液を該収納ユニットにおいて流れさせるようになるステップと、（Ｄ）該収納ユニットの一側に位置する輻射照射ユニットが照射供与量１５グレイ（Ｇｙ）で、該複数の藻類胞子に対して３週間に一回照射し、計時ユニットにより、輻射照射期間に置いて、合計２回だけ照射するステップと、（Ｅ）該付着ユニット上の該複数の藻類胞子が、藻類若芽に成長してから、該付着ユニットを取り外して、該付着ユニットを戸外流水池に放置し、流水式により更に培養するステップと、（Ｆ）各藻類が適当な長さまで成長した後、該付着ユニットから採集するステップと等が備えられることを特徴とする、海藻生長促進装置。
【発明の詳細な説明】
【技術分野】
【０００１】
本発明は、電離放射線照射による海藻生長促進装置に関し、特にホーミシス（ｈｏｒｍｅｓｉｓ）により成長を促進させ、最適な厚さ増加や成長期短縮を発見し、海藻を大量生産に繁殖できるものに関する。
【背景技術】
【０００２】
海藻は製薬工業の原材料でありながら、下水処理場において下水を清浄化することに利用され、そしてエネルギーを供給することができ、また、該海藻は沢山の蛋白質や重要なビタミンが含まれるため、海藻を利用して、例えば、ケーキ等を作って食用とし、そのため、海藻の需要に応じて、海藻を大量生産できる技術を必要とする。既存の海藻を培養する方法は、体積が小さい平面型フレームを作り、藻類胞子を着床させ、複数の藻類胞子が、平面フレームのその一面の綿ロープだけにおいて藻体が生長するため、必要とする海藻を大量生産に繁殖できない。
【０００３】
図１０〜図１３は従来の藻類の製作方式の概念図である。図のように、平面フレーム９に綿ロープ９１が巻き付けられ、該綿ロープ９１に複数の藻類胞子９２を着床させ（図１１のように）、そして、該平面フレーム７を海水１０１が注入される培養皿１０に設置し、該複数の藻類胞子９２が予定の時間を経過して藻体９３に生長した後、採集して色々に適用する。
【０００４】
然而、上記のような従来の海藻生産方法によれば、該複数の藻類胞子９２を、予定の時間で藻体９３に生長させることができるが、該平面フレーム９は体積が小さい平面型フレームで、該平面フレーム９の一面だけが該培養皿１０に接触するため、該平面フレーム９のもう一面の綿ロープ９１に、藻類胞子９２を着床させることができ、そのため、該複数の藻類胞子９２が、平面フレーム９のその一面の綿ロープ９１だけ藻体９３に生長でき、該従来の海藻生産方法は海藻を大量生産に繁殖できなくなり、そのため、従来の海藻生産方法は実用的とは言えない。
【発明の開示】
【発明が解決しようとする課題】
【０００５】
本発明の主な目的は、ホーミシス方法により成長を促進させ、最適な厚さ増加や成長期短縮を発見し、海藻を大量生産に繁殖できる電離放射線照射による海藻生長促進装置である。
【課題を解決するための手段】
【０００６】
本発明は上記の目的を達成するため、少なくとも、収納ユニットと立体フレーム、付着ユニット、輻射照射ユニット及び計時ユニットが備えられ、該収納ユニットに放置区とフィルタがあり、該立体フレームが該収納ユニットの放置区に設置され、該立体フレームに複数の横棒と縦棒があり、該付着ユニットが該立体フレームに巻き付けられ、該輻射照射ユニットが該収納ユニットの一側に設置され、該輻射照射ユニットのもう一側に該計時ユニットが設置され、また、該輻射照射ユニットが電離放射線源でコバルト６０ガンマ線であり、これにより、ホーミシス（ｈｏｒｍｅｓｉｓ）方法で海藻の成長を促進させて、最適の厚さ増加や成長期短縮を発見し、必要とする海藻を大量生産に繁殖できる電離放射線照射による海藻生長促進装置である。
【発明を実施するための最良の形態】
【０００７】
図１と図２は、それぞれ本発明の立体外観概念図と本発明の立体分解概念図である。図のように、本発明は電離放射線照射による海藻生長促進装置であり、少なくとも、収納ユニット１と立体フレーム２、付着ユニット３、輻射照射ユニット３２及び計時ユニット３３から構成され、ホーミシス（ｈｏｒｍｅｓｉｓ）方法でその成長を促進して、最適の厚さ増加や成長期短縮を発見し、必要とする海藻を大量生産に繁殖できる。
【０００８】
該収納ユニット１は、少なくとも一つの放置区１１を有し、該放置区１１はフィルタ１２がある。
【０００９】
該立体フレーム２は該収納ユニット１の放置区１１に設置され、該立体フレーム２は、少なくとも複数の横棒２１と縦棒２２から構成される。
【００１０】
該付着ユニット３は該立体フレーム２に巻き付けられ、綿ロープである。
【００１１】
該輻射照射ユニット３２は該収納ユニット１の一側に設置され、該輻射照射ユニット３２のもう一側に該計時ユニット３３が設置され、該輻射照射ユニット３２は電離放射線源で、コバルト６０ガンマ線である。
【００１２】
図３〜図８は、それぞれ本発明のステップ（Ａ）の概念図、本発明のステップ（Ｂ）の概念図、本発明のステップ（Ｃ）の概念図、本発明のステップ（Ｄ）の概念図、本発明のステップ（Ｅ）の概念図及び本発明のステップ（Ｆ）の概念図である。
【００１３】
図のように、本発明は少なくとも、
（Ａ）直径が１センチメートル、全長が３３メートルである綿ロープ（図３のように）の該付着ユニット３が巻き付けられた、長さが約４０センチメートル、幅が３０センチメートル、高さが３０センチメートルである鋼材直径が０．７センチメートルのステンレスフレームからなる立体フレーム２を用意するステップと、
（Ｂ）該付着ユニット３が巻き付けられた立体フレーム２を、１００リットルの海水である培養液４が注入された、１２０リットルのポリ塩化ビニル（ＰＶＣ）長方形桶である該収納ユニット１の放置区１１に設置され、該培養液４の液面高さを、該立体フレーム２上の付着ユニット３より高くする（図４のように）ステップと、
（Ｃ）付着ユニット３上に複数の藻類胞子５を着床させ、該収納ユニット１の放置区１１にフィルタ１２を設置し、温室において太陽光が照射できる箇所に放置して培養を行い、該複数の藻類胞子５の遊走細胞が約１〜２日を掛かって完全に該付着ユニット３に着床して、１５日目に、肉眼が見える藻類の若芽５１が藻体長さ０．５〜１．０  ｍｍまで生長すると、流速５０〜７５ｍｌ．ｓｅｃ−１のフィルタ１２で海水をろ過して、流水式により培養させる（図５のように）ステップと、
（Ｄ）コバルト６０ガンマ線である輻射照射ユニット３２の電離放射線源は、該収納ユニット１の一側から１５グレイ（Ｇｙ）の照射供与量で、該複数の藻類胞子５に対して３週間に一回照射し、照射する時、照射時間を照射供与量の基準とし、輻射照射ユニット３２を制御して、所定の１５グレイである照射供与量を照射し（図６のように）、また、計時ユニット３３により、輻射照射区間において合計２回の照射を行うように制御し、また、本発明においては、照射サンプルを取り出して、水密な箱の中の該輻射照射ユニット３２の照射座に設置してから蓋をし、レール昇降台により水池に沈み、また、放射源が該水池底部の照射座の傍に位置し、水密箱が供与量分布テストにより測定された供与量率が５グレイ／分（Ｇｙ／ｍｉｎ）であれば、実験により供与量を１５グレイに設定し、該計時ユニット３３により照射時間を３分に設定し、照射時間が到達すると、該水密箱を照射源からは離れさせ、或いは、水面から取り出すステップと、
（Ｅ）４０日を経過して、該付着ユニット３上の複数の藻類胞子５が藻類若芽５１に成長した後、約３．０〜５．０ｍｍの該藻類若芽５１が着床した付着ユニット３を取り外して、該付着ユニット３を１００センチメートルに裁断し、直径が０．６センチメートルのロープ３１を接続し、その後、該付着ユニット３を長さが４．４メートル、幅が２．２メートル、高さが１．３メートル、水深が０．９メートルである、海水の体積が約８．７立方メートル（ｍ３）である戸外流水池６に設置し、流速３００ｍｌ．ｓｅｃ−１である新鮮な海水により、流水式で更に培養する（図７のように）ステップと、
（Ｆ）各藻類が適当な長さ（約１０センチメートル以上）の藻体５２に成長すると、直接に手工方式により、該藻体５２を該付着ユニット３から採集し、また、ろ過された海水で洗浄してから、摂氏７０度のオーブンで水分を乾燥して重量を計り、生物量を算出する（図８のように）ステップとが備えられる。
【００１４】
図９は本発明の実験対照概念図である。図のように、本発明の実験に用いられる海藻はアオサであり、その詳細は次のようになる。
【実施例１】
【００１５】
９月７日（着床させた後の２週目）にコバルト６０ガンマ線を一回照射し、その後、照射しない促進組では、１０月１３日（着床させた後の７週目）に乾燥して重量を計り、実施例１のアオサ７１の乾物重が０．０１０１グラム／センチメートル（ｇ／ｃｍ）であり、１０月２０日（着床させた後の８週目）に乾燥して重量を計り、実施例１のアオサ７２の乾物重が０．０２６７グラム／センチメートルになり、また、１０月３０日（着床させた後の９週目）に乾燥して重量を計り、実施例１のアオサ７３の乾物重が０．０４０４グラム／センチメートルになる。
【実施例２】
【００１６】
９月７日にコバルト６０ガンマ線を一回照射し、そして四週間を置いて、１０月４日（着床させた後の６週目）にコバルト６０ガンマ線を再照射し、合計２回を照射する促進組では、１０月１３日に乾燥して重量を計り、実施例２のアオサ７４の乾物重が０．００８５グラム／センチメートルになり、１０月２０日に乾燥して重量を計り、実施例２のアオサ７５の乾物重が０．０２４４グラム／センチメートルになり、また、１０月３０日に乾燥して重量を計り、実施例２のアオサ７６の乾物重が０．０３８１グラム／センチメートルになる。
【実施例３】
【００１７】
９月７日にコバルト６０ガンマ線を一回照射し、そして３週間を置いて、９月２８日（着床させた後の５週目）にコバルト６０ガンマ線を再照射し、合計２回を照射する促進組では、１０月１３日に乾燥して重量を計り、実施例３のアオサ７７の乾物重が０．００９６グラム／センチメートルになり、１０月２０日に乾燥して重量を計り、実施例３のアオサ７８の乾物重が０．０２２３グラム／センチメートルになり、また、１０月３０日に乾燥して重量を計り、実施例３のアオサ７９の乾物重が０．０４７５グラム／センチメートルになる。
【実施例４】
【００１８】
９月７日にコバルト６０ガンマ線を一回照射し、そして２週間を置きに、例えば、９月２１日（着床させた後の４週目）と１０月４日に、それぞれ更にコバルト６０ガンマ線を照射し、合計３回を照射する抑制組では、１０月１３日に乾燥して重量を計り、実施例４のアオサ８０の乾物重が０．０１０８グラム／センチメートルになり、１０月２０日に乾燥して重量を計り、実施例４のアオサ８１の乾物重が０．０２３１グラム／センチメートルになり、また、１０月３０日に乾燥して重量を計り、実施例４のアオサ８２の乾物重が０．０３６１グラム／センチメートルになる。
【実施例５】
【００１９】
９月７日にコバルト６０ガンマ線を一回照射し、そして１週間を置きに、例えば、９月１４日（着床させた後の３週目）や９月２１日、９月２８日及び１０月４日に、それぞれコバルト６０ガンマ線を照射し、合計５回を照射する抑制組では、１０月１３日に乾燥して重量を計り、実施例５のアオサ８３の乾物重が０．００３３グラム／センチメートルになり、１０月２０日に乾燥して重量を計り、実施例５のアオサ８４の乾物重が０．０１２１グラム／センチメートルになり、また、１０月３０日に乾燥して重量を計り、実施例５のアオサ８５の乾物重が０．０２５５グラム／センチメートルになる。
【実施例６】
【００２０】
コバルト６０ガンマ線を照射しない制御組では、１０月１３日に乾燥して重量を計り、実施例６のアオサ８６の乾物重が０．００５９グラム／センチメートルになり、１０月２０日に乾燥して重量を計り、実施例６のアオサ８７の乾物重が０．０１８２グラム／センチメートルになり、また、１０月３０日に乾燥して重量を計り、実施例６のアオサ８８の乾物重が０．０３７７グラム／センチメートルになる。
【００２１】
上記から分かるように、実施例１〜実施例３の促進組のアオサ乾物重は、ともに、制御組の実施例６より重く、また、該実施例３において、１０月３０日に乾燥して重量を計り得られたアオサ乾物重が、高い０．０４７５グラム／センチメートルであり、それは本実験において得られた最大値で、そして本発明の最も良い操作条件を示す。実施例４と実施例５において、本実験の促進組に対照するための抑制組であり、図から分かるように、輻射照射回数が頻繁しすぎるため、アオサが余計に輻射を吸収して生長状況が理想ではなく、また実施例５のように、各週に照射することは影響が大きい。
【００２２】
また、１０月３０日に計れた重量によれば、該実施例６と該実施例１、そして該実施例２と該実施例４が類似し、それは、該実施例１と該実施例２において、照射する頻度が不足でホーミシス作用を得られないため、生長促進の効果が得られない。また、該実施例４において、照射する頻度が高すぎでも、生長促進の効果が得られない。
【００２３】
以上のように、本発明は電離放射線照射による海藻生長促進装置であり、有効に従来の諸欠点を改善でき、ホーミシス（ｈｏｒｍｅｓｉｓ）方法によりその成長を促進させ、最適な厚さ増加や成長期短縮を発見し、海藻を大量生産に繁殖できるため、本発明はより進歩的かつより実用的で、法に従って特許請求を出願する。
【００２４】
以上は、ただ、本発明のより良い実施例であり、本発明はそれによって制限されることが無く、本発明に係わる特許請求の範囲や明細書の内容に基づいて行った等価の変更や修正は、全てが本発明の特許請求の範囲内に含まれる。
【図面の簡単な説明】
【００２５】
【図１】本発明の立体外観概念図
【図２】本発明の立体分解概念図
【図３】本発明のステップ（Ａ）の概念図
【図４】本発明のステップ（Ｂ）の概念図
【図５】本発明のステップ（Ｃ）の概念図
【図６】本発明のステップ（Ｄ）の概念図
【図７】本発明のステップ（Ｅ）の概念図
【図８】本発明のステップ（Ｆ）の概念図
【図９】本発明の実験対照概念図
【図１０】従来の藻類の製作方式概念図
【図１１】従来の藻類の製作方式概念図
【図１２】従来の藻類の製作方式概念図
【図１３】従来の藻類の製作方式概念図
【符号の説明】
【００２６】
（本発明部分）
１        収納ユニット
１１      放置区
１２      フィルタ
２        立体フレーム
２１      横棒
２２      縦棒
３        付着ユニット
３１      ロープ
３２      輻射照射ユニット
３３      計時ユニット
４        培養液
５        藻類胞子
５１      藻類若芽
５２      藻体
６        戸外流水池
７１      実施例１アオサ
７２      実施例１アオサ
７３      実施例１アオサ
７４      実施例２アオサ
７５      実施例２アオサ
７６      実施例２アオサ
７７      実施例３アオサ
７８      実施例３アオサ
７９      実施例３アオサ
８０      実施例４アオサ
８１      実施例４アオサ
８２      実施例４アオサ
８３      実施例５アオサ
８４      実施例５アオサ
８５      実施例５アオサ
８６      実施例６アオサ
８７      実施例６アオサ
８８      実施例６アオサ
（従来部分）
９        平面フレーム
９１      綿ロープ
９２      藻類胞子
９３      藻体
１０      培養皿
１０１    海水
【図１】
0004595131.tif 000002
【図２】
0004595131.tif 000003
【図３】
0004595131.tif 000004
【図４】
0004595131.tif 000005
【図５】
0004595131.tif 000006
【図６】
0004595131.tif 000007
【図７】
0004595131.tif 000008
【図８】
0004595131.tif 000009
【図９】
0004595131.tif 000010
【図１０】
0004595131.tif 000011
【図１１】
0004595131.tif 000012
【図１２】
0004595131.tif 000013
【図１３】
0004595131.tif 000014